(57)【要約】【課題】イントラ予測において下側及び右側の少なくとも一方の参照画素を用いる場合で且つ残差信号に対して直交変換処理が適用されない場合であっても符号化効率の低下を抑制すること。【解決手段】イントラ予測モードを用いて予測画像を生成するように構成されているイントラ予測部１４ａと、予測画像と原画像との差分により残差信号を生成するように構成されている残差信号生成部１４ｂとを具備しており、直交変換処理が適用されない場合に、残差信号生成部１４ｂは、イントラ予測部１４ａが予測画像を生成する際に用いる参照画素の位置に基づいて、残差信号を水平方向及び垂直方向の少なくとも一方に反転するように構成されている。【選択図】図３
2018121317.tif 000002
【特許請求の範囲】
【請求項１】
動画像を構成するフレーム単位の原画像を符号化対象ブロックに分割して符号化するよ
うに構成されている符号化装置であって、
イントラ予測モードを用いて予測画像を生成するように構成されているイントラ予測部
と、
前記予測画像と原画像との差分により残差信号を生成するように構成されている残差信
号生成部とを具備しており、
直交変換処理が適用されない場合に、前記残差信号生成部は、前記イントラ予測部が予
測画像を生成する際に用いる参照画素の位置に基づいて、前記残差信号を水平方向及び垂
直方向の少なくとも一方に反転するように構成されていることを特徴とする符号化装置。
【請求項２】
動画像を構成するフレーム単位の原画像を符号化対象ブロックに分割して復号するよう
に構成されている復号装置であって、
イントラ予測モードを用いて予測画像を生成するように構成されているイントラ予測部
と、
逆直交変換処理が適用されない場合に、前記イントラ予測部が予測画像を生成する際に
用いる参照画素の位置に基づいて、エントロピー復号処理及び逆量子化処理によって得ら
れる信号を水平方向及び垂直方向の少なくとも一方に反転することによって残差信号を生
成するように構成されている逆変換部とを具備することを特徴とする復号装置。
【請求項３】
コンピュータを、請求項１に記載の符号化装置として機能させるためのプログラム。
【請求項４】
コンピュータを、請求項２に記載の復号装置として機能させるためのプログラム。
【発明の詳細な説明】
【技術分野】
【０００１】
本発明は、符号化装置、復号装置及びプログラムに関する。
【背景技術】
【０００２】
Ｈ.２６５/ＨＥＶＣ（Ｈｉｇｈ  Ｅｆｆｉｃｉｅｎｃｙ  Ｖｉｄｅｏ  Ｃｏｄｉｎｇ）
に代表される動画像（映像）符号化方式では、フレーム間の時間的相関を利用したインタ
ー予測及びフレーム内の空間的相関を利用したイントラ予測の２種類の予測を切り替えな
がら予測を行って残差信号を生成した後、直交変換処理やループフィルタ処理やエントロ
ピー符号化処理を行い得られたストリームを出力するように構成されている。
【０００３】
ＨＥＶＣにおけるイントラ予測では、Ｐｌａｎｅｒ予測やＤＣ予測や方向予測の計３５
種類のモードが用意されており、エンコーダで決定されたモードに従って、隣接する復号
済み参照画素を用いてイントラ予測を行うように構成されている。
【０００４】
ここで、イントラ予測では、フレーム内で最も左上に位置する符号化対象ブロック（以
下、「ＣＵ：Ｃｏｄｉｎｇ  Ｕｎｉｔ」と呼ぶ）等、隣接する復号済み参照画素が存在し
ないＣＵでは、規定した値（１０ビットの動画像であれば「５１２」）を埋める処理によ
り、予測画像を生成する際に用いる参照画素を作り出すように構成されている。
【０００５】
また、従来のＨＥＶＣでは、符号化処理が、左上からラスタースキャン順に行われるた
めに、参照画素が復号済みでない場合がある。このような場合には、最も近い復号済み参
照画素を０次外挿した値を用いて予測画像を生成するように構成されている。
【０００６】
とりわけ、従来のＨＥＶＣにおけるイントラ予測では、図６（ａ）に示すラスタースキ
ャン順による符号化処理により、ＴＵの分割形状によりフレームの端以外でも、ＣＵの左
下や右上に位置する参照画素が復号済みでない場合が多く（図６（ｂ）参照）、このよう
な場合に、復号済みでない参照画素が存在する方向からの方向予測を行うと予測精度が低
下し、符号化効率が低減してしまうという問題点があった。
【０００７】
かかる問題点を解決するために、イントラ予測において、ＣＵ内に存在する複数の変換
ブロック（以下、「ＴＵ：Ｔｒａｎｓｆｏｒｍ  Ｕｎｉｔ」と呼ぶ）に対する符号化処理
順として、ラスタースキャン順（例えば、Ｚ型）の他、Ｕ型やＸ型等の符号化順に自由度
を持たせることによって予測精度の向上を図る技術が知られている（非特許文献１参照）
。
【０００８】
なお、図６（ａ）及び図６（ｂ）の例では、左下から右上に向かう方向（図６（ａ）及
び図６（ｂ）における破線矢印が示す方向の逆方向）において方向予測を行うように構成
されており、左下の参照画素を用いて、破線矢印上の画素を予測する。本明細書の図にお
いて、イントラ予測モードの方向（予測方向）を示す矢印は、ＨＥＶＣ規格書における記
載と同様に、イントラ予測の対象の画素から参照画素に向かうものとする（以下同様）。
【０００９】
平坦な映像の中にごく局所的な領域にテクスチャが存在する場合や、画面全体が動くグ
ローバルモーションの中で小さい物体が別の方向に移動する場合等の絵柄では、イントラ
予測やインター予測により生成された予測画像の多くの領域において予測精度が高く、残
差信号のエネルギーは予測が当らなかった一部の領域に集中する。
【００１０】
このように、残差信号のエネルギーが、直交変換処理が適用される前の段階で既に集中
している場合、直交変換処理を適用することで、エントロピーが増大してしまう可能性が
ある。
【００１１】
そこで、従来のＨＥＶＣでは、残差信号に対して直交変換処理を適用しない「Ｔｒａｎ
ｓｆｏｒｍＳｋｉｐモード」が用意されている。
【００１２】
従来のＨＥＶＣでは、図７に示すように、イントラ予測が空間的に隣接する上側又は左
側の復号済み参照画素を利用した予測であり、復号済み参照画素に近い位置の予測画像の
精度が高く、復号済み参照画素から遠い位置の予測画像の精度が低くなる傾向にある。
【００１３】
すなわち、イントラ予測で生成される残差信号においては、復号済み参照画素に近い位
置のエネルギーは低く、復号済み参照画素から遠い位置のエネルギーは高くなる傾向にあ
る。
【００１４】
残差信号に対して直交変換処理が適用される場合、直交変換処理によって得られる変換
係数は、低周波成分に対応する左上の領域のエネルギーが大きくなる傾向にある。
【００１５】
エントロピー符号化処理においても、かかる傾向を利用しているが、Ｔｒａｎｓｆｏｒ
ｍＳｋｉｐモードでは、復号済み参照画素から遠い位置ほど残差信号のエネルギーが大き
くなるため、左側や上側の参照画素を利用したイントラ予測の場合には、残差信号の右下
の領域ほどエネルギーが大きくなる傾向にある。
【００１６】
したがって、ＴｒａｎｓｆｏｒｍＳｋｉｐモードにおいて、残差信号に対して直交変換
処理が適用される場合と同様のエントロピー符号化処理を適用すると符号化効率が低下し
てしまうという問題点があった。
【００１７】
そこで、かかる問題点を解決するために、ＨＥＶＣではＴｒａｎｓｆｏｒｍＳｋｉｐモ
ードを適用する際には、残差信号を垂直方向及び水平方向に反転することで、残差信号の
エネルギー分布を、直交変換処理が適用される場合に生成される変換係数のエネルギー分
布に近づけ、その後のエントロピー符号化処理での効率を高めている。
【先行技術文献】
【非特許文献】
【００１８】
【非特許文献１】望月等、「平均値座標に基づいた適用イントラ予測方式」、情報処理学会研究報告、ｖｏｌ、２０１２-ＡＶＭ-７７、Ｎｏ.１２
【発明の概要】
【発明が解決しようとする課題】
【００１９】
上述のように、非特許文献１に記載されている技術では、イントラ予測において、下側
又は右側の参照画素を用いるケースがある。かかるケースでは、残差信号において、参照
画素の位置に近い下側や右側の信号強度が小さくなり、参照画素の位置から遠い上側や左
側の信号強度が高くなる傾向にある。
【００２０】
しかしながら、従来のＨＥＶＣにおけるＴｒａｎｓｆｏｒｍＳｋｉｐモードでは、参照
画素の位置に関わらず残差信号が垂直方向及び水平方向に反転してしまうため、右側や下
側の復号済み参照画素を利用したイントラ予測を行った場合、残差信号のエネルギーは、
左上の領域に集中せず、符号化効率が低下するという問題点があった。
【００２１】
そこで、本発明は、上述した課題を解決するためになされたものであり、イントラ予測
において下側及び右側の少なくとも一方の参照画素を用いる場合で且つ残差信号に対して
直交変換処理（或いは、逆直交変換処理）が適用されない場合であっても符号化効率の低
下を抑制することができる符号化装置、復号装置及びプログラムを提供することを目的と
する。
【課題を解決するための手段】
【００２２】
本発明の第１の特徴は、動画像を構成するフレーム単位の原画像を符号化対象ブロック
に分割して符号化するように構成されている符号化装置であって、イントラ予測モードを
用いて予測画像を生成するように構成されているイントラ予測部と、前記予測画像と原画
像との差分により残差信号を生成するように構成されている残差信号生成部とを具備して
おり、直交変換処理が適用されない場合に、前記残差信号生成部は、前記イントラ予測部
が予測画像を生成する際に用いる参照画素の位置に基づいて、前記残差信号を水平方向及
び垂直方向の少なくとも一方に反転するように構成されていることを要旨とする。
【００２３】
本発明の第２の特徴は、動画像を構成するフレーム単位の原画像を符号化対象ブロック
に分割して復号するように構成されている復号装置であって、イントラ予測モードを用い
て予測画像を生成するように構成されているイントラ予測部と、逆直交変換処理が適用さ
れない場合に、前記イントラ予測部が予測画像を生成する際に用いる参照画素の位置に基
づいて、エントロピー復号処理及び逆量子化処理によって得られる信号を水平方向及び垂
直方向の少なくとも一方に反転することによって残差信号を生成するように構成されてい
る逆変換部とを具備することを要旨とする。
【００２４】
本発明の第３の特徴は、コンピュータを、上述の第１の特徴に記載の符号化装置として
機能させるためのプログラムであることを要旨とする。
【００２５】
本発明の第４の特徴は、コンピュータを、上述の第２の特徴に記載の復号装置として機
能させるためのプログラムであることを要旨とする。
【発明の効果】
【００２６】
本発明によれば、イントラ予測において下側及び右側の少なくとも一方の参照画素を用
いる場合で且つ残差信号に対して直交変換処理が適用されない場合であっても符号化効率
の低下を抑制することができる符号化装置、復号装置及びプログラムを提供することがで
きる。
【図面の簡単な説明】
【００２７】
【図１】図１は、第１の実施形態に係る符号化装置１の機能ブロック図である。
【図２】図２は、第１の実施形態においてＴＵ分割が行われる場合のイントラ予測の一例を示す図である。
【図３】図３は、第１の実施形態に係る符号化装置１の動作を示すフローチャートである。
【図４】図４は、第１の実施形態に係る復号装置３の機能ブロック図である。
【図５】図５は、第１の実施形態に係る復号装置３の動作を示すフローチャートである。
【図６】図６は、従来のＨＥＶＣについて説明するための図である。
【図７】図７は、従来のＨＥＶＣについて説明するための図である。
【発明を実施するための形態】
【００２８】
（第１の実施形態）
以下、図１〜図５を参照して、本発明の第１の実施形態に係る符号化装置１及び復号装
置３について説明する。ここで、本実施形態に係る符号化装置１及び復号装置３は、ＨＥ
ＶＣ等の動画像符号化方式におけるイントラ予測に対応するように構成されている。なお
、本実施形態に係る符号化装置１及び復号装置３は、イントラ予測を行う動画像符号化方
式であれば、任意の動画像符号化方式に対応することができるように構成されている。
【００２９】
本実施形態に係る符号化装置１は、動画像を構成するフレーム単位の原画像をＣＵに分
割して符号化するように構成されている。また、本実施形態に係る符号化装置１は、ＣＵ
を複数のＴＵに分割することができるように構成されていてもよい。以下、本実施形態で
は、ＣＵを複数のＴＵに分割するケースを例に挙げて説明するが、本発明は、ＣＵを複数
のＴＵに分割しないケースにも適用可能である。
【００３０】
なお、本実施形態では、フレーム内で最も左上に位置するＣＵ等、隣接する復号済み参
照画素が存在しない符号化対象のＣＵでは、規定した値（１０ビットの動画像であれば「
５１２」）を埋める処理により、予測画像を生成する際に用いる参照画素を作り出すよう
に構成されているため、符号化対象のＣＵの左側に隣接する画素について全て参照画素と
することができるものとする。
【００３１】
図１に示すように、本実施形態に係る符号化装置１は、イントラ予測モード決定部１１
と、ＴＵ分割決定部１２と、符号化順制御部１３と、逐次局部復号画像生成部１４と、メ
モリ１５と、エントロピー符号化部１６とを具備している。
【００３２】
イントラ予測モード決定部１１は、ＣＵに適用する最適なイントラ予測モードを決定す
るように構成されている。
【００３３】
ＴＵ分割決定部１２は、ＣＵを複数のＴＵに分割するか否かについて決定するように構
成されている。なお、本実施形態では、ＣＵを複数のＴＵに分割する方法として、４分割
のケースを例に挙げて説明しているが、ＣＵを複数のＴＵに分割する際の分割数や分割形
状については、かかるケースに制限されるものではない。
【００３４】
符号化順制御部１３は、イントラ予測モード（例えば、イントラ予測モードの方向）に
基づいてＣＵ内のＴＵの符号化順を決定するように構成されている。
【００３５】
具体的には、符号化順制御部１３は、ＴＵ分割決定部１２によってＣＵを複数のＴＵに
分割することが決定された場合に、図２（ａ）〜図２（ｄ）に示すように、イントラ予測
モード決定部１１によって決定されたイントラ予測モードの方向が左下から右上に向かう
方向である場合（すなわち、左下から右上に向かって方向予測が行われる場合）に、ＣＵ
内のＴＵの符号化順として、従来のラスタースキャン順（図６（ａ）に示すようなＺ型）
でなく、ＴＵ＃Ａ３（ＣＵ＃Ａ内の左下のＴＵ）→ＴＵ＃Ａ４（ＣＵ＃Ａ内の右下のＴＵ
）→ＴＵ＃Ａ１（ＣＵ＃Ａ内の左上のＴＵ）→ＴＵ＃Ａ２（ＣＵ＃Ａ内の右上のＴＵ）と
いう符号化順、或いは、ＴＵ＃Ａ３（ＣＵ＃Ａ内の左下のＴＵ）→ＴＵ＃Ａ１（ＣＵ＃Ａ
内の左上のＴＵ）→ＴＵ＃Ａ４（ＣＵ＃Ａ内の右下のＴＵ）→ＴＵ＃Ａ２（ＣＵ＃Ａ内の
右上のＴＵ）という符号化順のうち、予め規定した符号化順を採用するように構成されて
いてもよい。
【００３６】
また、符号化順制御部１３は、ＴＵ分割決定部１２によってＣＵを複数のＴＵに分割す
ることが決定された場合で、且つ、イントラ予測モード決定部１１によって決定されたイ
ントラ予測モードの方向が右上から左下に向かう方向である場合（すなわち、右上から左
下に向かって方向予測が行われる場合）に、従来のラスタースキャン順（図６（ａ）に示
すようなＺ型）でなく、ＴＵ＃Ａ２（ＣＵ＃Ａ内の右上のＴＵ）→ＴＵ＃Ａ４（ＣＵ＃Ａ
内の右下のＴＵ）→ＴＵ＃Ａ１（ＣＵ＃Ａ内の左上のＴＵ）→ＴＵ＃Ａ３（ＣＵ＃Ａ内の
左下のＴＵ）という符号化順、或いは、ＴＵ＃Ａ２（ＣＵ＃Ａ内の右上のＴＵ）→ＴＵ＃
Ａ１（ＣＵ＃Ａ内の左上のＴＵ）→ＴＵ＃Ａ４（ＣＵ＃Ａ内の右下のＴＵ）→ＴＵ＃Ａ３
（ＣＵ＃Ａ内の左下のＴＵ）という符号化順のうち、予め規定した符号化順を採用するよ
うに構成されていてもよい。
【００３７】
逐次局部復号画像生成部１４は、符号化順制御部１３によって決定された符号化順及び
ＣＵのＴＵへの分割方法に基づいて局部復号画像（ＴＵごとの復号画像）を生成するよう
に構成されている。
【００３８】
具体的には、逐次局部復号画像生成部１４は、ＴＵ分割決定部１２によってＣＵを複数
のＴＵに分割することが決定された場合に、符号化順制御部１３により決定された符号化
順に従って、逐次、局部復号画像を生成するように構成されている。
【００３９】
図１に示すように、逐次局部復号画像生成部１４は、イントラ予測部１４ａと、残差信
号生成部１４ｂと、直交変換・量子化部１４ｃと、逆量子化部・逆直交変換部１４ｄと、
局部復号画像生成部１４ｅとを具備している。
【００４０】
イントラ予測部１４ａは、イントラ予測モード決定部１１により決定されたイントラ予
測モードを用いて予測画像を生成するように構成されている。すなわち、イントラ予測部
１４ｄは、予測画像を生成する際に用いる参照画素の位置を決定するように構成されてい
る。
【００４１】
具体的には、イントラ予測部１４ａは、ＴＵ分割決定部１２によってＣＵを複数のＴＵ
に分割することが決定された場合で、図２（ａ）〜図２（ｄ）に示すように、イントラ予
測モードの方向（予測方向）が左下から右上に向かう方向である場合、ＴＵ＃Ａ３（ＣＵ
＃Ａ内の左下のＴＵ）→ＴＵ＃Ａ４（ＣＵ＃Ａ内の右下のＴＵ）→ＴＵ＃Ａ１（ＣＵ＃Ａ
内の左上のＴＵ）→ＴＵ＃Ａ２（ＣＵ＃Ａ内の右上のＴＵ）という符号化順、或いは、Ｔ
Ｕ＃Ａ３（ＣＵ＃Ａ内の左下のＴＵ）→ＴＵ＃Ａ１（ＣＵ＃Ａ内の左上のＴＵ）→ＴＵ＃
Ａ４（ＣＵ＃Ａ内の右下のＴＵ）→ＴＵ＃Ａ２（ＣＵ＃Ａ内の右上のＴＵ）という符号化
順のうち、予め規定した符号化順で、予測画像を生成するように構成されていてもよい。
【００４２】
ここで、イントラ予測部１４ａは、図２（ｃ）及び図２（ｄ）に示すように、隣接する
下側の参照画素が復号されているＴＵ＃Ａ１（ＣＵ＃Ａ内の左上のＴＵ）及びＴＵ＃Ａ２
（ＣＵ＃Ａ内の右上のＴＵ）については、左側及び下側に隣接する復号済み参照画素を用
いて予測画像を生成するように構成されていてもよい。
【００４３】
また、本実施形態に係る符号化装置１では、イントラ予測部１４ａは、ＴＵ分割決定部
１２によってＣＵを複数のＴＵに分割することが決定された場合で、且つ、イントラ予測
モードの方向（予測方向）が右上から左下に向かう方向である場合、ＴＵ＃Ａ２（ＣＵ＃
Ａ内の右上のＴＵ）→ＴＵ＃Ａ４（ＣＵ＃Ａ内の右下のＴＵ）→ＴＵ＃Ａ１（ＣＵ＃Ａ内
の左上のＴＵ）→ＴＵ＃Ａ３（ＣＵ＃Ａ内の左下のＴＵ）という符号化順、或いは、ＴＵ
＃Ａ２（ＣＵ＃Ａ内の右上のＴＵ）→ＴＵ＃Ａ１（ＣＵ＃Ａ内の左上のＴＵ）→ＴＵ＃Ａ
４（ＣＵ＃Ａ内の右下のＴＵ）→ＴＵ＃Ａ３（ＣＵ＃Ａ内の左下のＴＵ）という符号化順
のうち、予め規定した符号化順で、予測画像を生成するように構成されていてもよい。
【００４４】
ここで、イントラ予測部１４ａは、隣接する右側の参照画素が復号されているＴＵ＃Ａ
１（ＣＵ＃Ａ内の左上のＴＵ）及びＴＵ＃Ａ３（ＣＵ＃Ａ内の左下のＴＵ）については、
上側及び右側に隣接する復号済み参照画素を用いて、予測画像を生成するように構成され
ていてもよい。
【００４５】
或いは、イントラ予測部１４ａは、ＴＵ＃Ａ３（ＣＵ＃Ａ内の左下のＴＵ）→ＴＵ＃Ａ
４（ＣＵ＃Ａ内の右下のＴＵ）→ＴＵ＃Ａ１（ＣＵ＃Ａ内の左上のＴＵ）→ＴＵ＃Ａ２（
ＣＵ＃Ａ内の右上のＴＵ）という符号化順、或いは、ＴＵ＃Ａ３（ＣＵ＃Ａ内の左下のＴ
Ｕ）→ＴＵ＃Ａ１（ＣＵ＃Ａ内の左上のＴＵ）→ＴＵ＃Ａ４（ＣＵ＃Ａ内の右下のＴＵ）
→ＴＵ＃Ａ２（ＣＵ＃Ａ内の右上のＴＵ）という符号化順が用いられる場合には、上側に
隣接する参照画素が復号済みであるＴＵ（分割されたＴＵ群のうち最上段に位置するＴＵ
、図２の例では、ＴＵ＃Ａ１及びＴＵ＃Ａ２）については、ＣＵ＃Ａ内で共通のイントラ
予測方向でなく、かかるＴＵの左側や上側や下側に隣接する復号済み参照画素を用いた線
形補間等の予め規定した予測を行うように構成されていてもよい。
【００４６】
残差信号生成部１４ｂは、イントラ予測部１４ａによって生成された予測画像と原画像
との差分により残差信号を生成するように構成されている。
【００４７】
ここで、残差信号生成部１４ｂは、「ＴｒａｎｓｆｏｒｍＳｋｉｐモード」が適用され
ている場合（直交変換が適用されない場合）には、イントラ予測部１４ａによって決定さ
れた予測画像を生成する際に用いる参照画素の位置に基づいて、生成した残差信号を水平
方向及び垂直方向の少なくとも一方に反転するように構成されていてもよい。
【００４８】
例えば、「ＴｒａｎｓｆｏｒｍＳｋｉｐモード」が適用されている場合で、且つ、イン
トラ予測部１４ａが左側及び下側に位置する参照画素を用いて予測画像を生成した場合に
、残差信号生成部１４ｂは、生成した残差信号を水平方向に反転し、残差信号のエネルギ
ーを左上の領域に集中するように構成されていてもよい。
【００４９】
また、「ＴｒａｎｓｆｏｒｍＳｋｉｐモード」が適用されている場合で、且つ、イント
ラ予測部１４ａが右側及び上側に位置する参照画素を用いて予測画像を生成した場合に、
残差信号生成部１４ｂは、生成した残差信号を垂直方向に反転し、残差信号のエネルギー
を左上の領域に集中するように構成されていてもよい。
【００５０】
また、「ＴｒａｎｓｆｏｒｍＳｋｉｐモード」が適用されている場合で、且つ、イント
ラ予測部１４ａが左側及び上側に位置する参照画素を用いて予測画像を生成した場合に、
従来のＨＥＶＣで「ＴｒａｎｓｆｏｒｍＳｋｉｐモード」を適用する場合と同様に、残差
信号生成部１４ｂは、生成した残差信号を垂直方向及び水平方向に反転し、残差信号のエ
ネルギーを左上の領域に集中するように構成されていてもよい。
【００５１】
また、「ＴｒａｎｓｆｏｒｍＳｋｉｐモード」が適用されている場合で、且つ、イント
ラ予測部１４ａが左側及び上側及び下側に位置する参照画素を用いて予測画像を生成した
場合に、残差信号生成部１４ｂは、生成した残差信号を水平方向に反転し、残差信号のエ
ネルギーを左の領域に集中するように構成されていてもよい。
【００５２】
さらに、「ＴｒａｎｓｆｏｒｍＳｋｉｐモード」が適用されている場合で、且つ、イン
トラ予測部１４ａが左側及び上側及び右側に位置する参照画素を用いて予測画像を生成し
た場合に、残差信号生成部１４ｂは、生成した残差信号を垂直方向に反転し、残差信号の
エネルギーを上の領域に集中するように構成されていてもよい。
【００５３】
なお、かかる残差信号の反転処理については、残差信号生成部１４ｂではなく直交変換
・量子化部１４ｃやエントロピー符号化部１６等の別の機能によって実現されてもよい。
例えば、残差信号の反転を行うのではなく、エントロピー符号化部１６において係数のス
キャン順を変更することによって、残差信号の反転を行うのと同様の効果を得る構成とし
てもよい。
【００５４】
一方、「Ｔｒａｎｓｆｏｒｍ  Ｓｋｉｐモード」が適用されている場合で、且つ、イン
トラ予測部１４ａが左側及び上側のいずれに位置する参照画素を用いても予測画像を生成
していない場合には、生成した残差信号を反転させないように構成されていてもよい。
【００５５】
直交変換・量子化部１４ｃは、残差信号生成部１４ｂによって生成された残差信号に対
して直交変換処理及び量子化処理を施し、量子化された変換係数を生成するように構成さ
れている。
【００５６】
ここで、直交変換・量子化部１４ｃは、「ＴｒａｎｓｆｏｒｍＳｋｉｐモード」が適用
されている場合には、残差信号生成部１４ｂによって生成された残差信号に対して直交変
換処理を行わずに量子化処理のみを施すように構成されている。
【００５７】
或いは、「ＴｒａｎｓｆｏｒｍＳｋｉｐモード」が適用されている場合には、直交変換
処理及び量子化処理の双方が行われず、残差信号生成部１４ｂによって生成された残差信
号がそのまま出力されるように構成されてもよい。
【００５８】
逆量子化部・逆直交変換部１４ｄは、直交変換・量子化部１４ｃによって生成された量
子化された変換係数に対して、再び逆量子化処理及び逆直交変換処理を施して残差信号を
生成するように構成されている。
【００５９】
ここで、逆量子化部・逆直交変換部１４ｄは、「ＴｒａｎｓｆｏｒｍＳｋｉｐモード」
が適用されている場合には、直交変換・量子化部１４ｃによって生成された量子化された
残差信号に対して、逆直交変換処理を行わずに逆量子化処理のみを施して残差信号を生成
するように構成されている。
【００６０】
或いは、「ＴｒａｎｓｆｏｒｍＳｋｉｐモード」が適用されている場合には、直交変換
処理及び量子化処理の双方が行われず、直交変換・量子化部１４ｃによって生成された残
差信号がそのまま出力されるように構成されてもよい。
【００６１】
局部復号画像生成部１４ｅは、逆量子化部・逆直交変換部１４ｄによって生成された残
差信号に対してイントラ予測部１４ａによって生成された予測画像を加えることで局部復
号画像を生成するように構成されている。
【００６２】
メモリ１５は、逐次局部復号画像生成部１４によって生成された局部復号画像を参照画
像として利用可能に保持するように構成されている。
【００６３】
エントロピー符号化部１６は、イントラ予測モード決定部１１によって決定されたイン
トラ予測モード等を含むフラグ情報や量子化された変換係数に対してエントロピー符号化
処理を施してストリーム出力するように構成されている。
【００６４】
図３に、「ＴｒａｎｓｆｏｒｍＳｋｉｐモード」が適用されている場合の本実施形態に
係る符号化装置１の動作の一例について説明するためのフローチャートについて示す。
【００６５】
図３に示すように、ステップＳ１０１において、符号化装置１は、ＣＵに適用する最適
なイントラ予測モードを決定する。
【００６６】
ステップＳ１０２において、符号化装置１は、ＣＵを複数のＴＵに分割するか否かにつ
いて決定する。ステップＳ１０２において、ＣＵを複数のＴＵに分割すると決定された場
合には、本動作は、ステップＳ１０３に進む。一方、ステップＳ１０２において、ＣＵを
複数のＴＵに分割しないと決定された場合には、本動作は、ステップＳ１０８に進む。
【００６７】
ステップＳ１０３において、イントラ予測モードの方向が左下から右上に向かう方向或
いは右上から左下に向かう方向であると決定された場合には、本動作は、ステップＳ１０
５に進む。一方、ステップＳ１０３において、イントラ予測モードの方向が左下から右上
に向かう方向及び右上から左下に向かう方向以外であると決定された場合には、本動作は
、ステップＳ１０４に進む。
【００６８】
ステップＳ１０４において、符号化装置１は、上述の符号化順として、従来のＨＥＶＣ
で用いられているラスタースキャン順（図８（ａ）に示すようなＺ型）を採用する。
【００６９】
ステップＳ１０８において、符号化装置１は、符号化対象のＴＵに対して、かかるＴＵ
の左側及び上側に隣接する復号済み参照画素を用いて、予め規定した予測を行う。
【００７０】
イントラ予測モードの方向が左下から右上に向かう方向であると決定された場合（ステ
ップＳ１０５）には、ステップＳ１０６において、符号化装置１は、上述の符号化順とし
て、ＴＵ＃Ａ３（ＣＵ＃Ａ内の左下のＴＵ）→ＴＵ＃Ａ４（ＣＵ＃Ａ内の右下のＴＵ）→
ＴＵ＃Ａ１（ＣＵ＃Ａ内の左上のＴＵ）→ＴＵ＃Ａ２（ＣＵ＃Ａ内の右上のＴＵ）という
符号化順、或いは、ＴＵ＃Ａ３（ＣＵ＃Ａ内の左下のＴＵ）→ＴＵ＃Ａ１（ＣＵ＃Ａ内の
左上のＴＵ）→ＴＵ＃Ａ４（ＣＵ＃Ａ内の右下のＴＵ）→ＴＵ＃Ａ２（ＣＵ＃Ａ内の右上
のＴＵ）という符号化順のうち、予め規定した符号化順を採用する。
【００７１】
一方、イントラ予測モードの方向が左下から右上に向かう方向でないと決定された場合
（ステップＳ１０５）には、ステップＳ１１１において、符号化装置１は、上述の符号化
順として、ＴＵ＃Ａ２（ＣＵ＃Ａ内の右上のＴＵ）→ＴＵ＃Ａ４（ＣＵ＃Ａ内の右下のＴ
Ｕ）→ＴＵ＃Ａ１（ＣＵ＃Ａ内の左上のＴＵ）→ＴＵ＃Ａ３（ＣＵ＃Ａ内の左下のＴＵ）
という符号化順、或いは、ＴＵ＃Ａ２（ＣＵ＃Ａ内の右上のＴＵ）→ＴＵ＃Ａ１（ＣＵ＃
Ａ内の左上のＴＵ）→ＴＵ＃Ａ４（ＣＵ＃Ａ内の右下のＴＵ）→ＴＵ＃Ａ３（ＣＵ＃Ａ内
の左下のＴＵ）という符号化順のうち、予め規定した符号化順を採用する。
【００７２】
ステップＳ１０７において、符号化装置１は、符号化対象のＴＵの上側に隣接する参照
画素が復号済みであるか否かについて判定する。ステップＳ１０７において、復号済みで
ある場合、本動作は、ステップＳ１０９に進み、復号済みでない場合、本動作は、ステッ
プＳ１１０に進む。
【００７３】
ステップＳ１０９において、符号化装置１は、符号化対象のＴＵに対して、かかるＴＵ
の左側及び上側及び下側に隣接する復号済み参照画素を用いて、予め規定した予測を行う
。
【００７４】
ステップＳ１１０において、符号化装置１は、符号化対象のＴＵに対して、かかるＴＵ
の左側及び下側に隣接する復号済み参照画素を用いて、予め規定した予測を行う。
【００７５】
ステップＳ１１２において、符号化装置１は、符号化対象のＴＵの左側に隣接する参照
画素が復号済みであるか否かについて判定する。ステップＳ１１２において、復号済みで
ある場合、本動作は、ステップＳ１１３に進み、復号済みでない場合、本動作は、ステッ
プＳ１１４に進む。
【００７６】
ステップＳ１１３において、符号化装置１は、符号化対象のＴＵに対して、かかるＴＵ
の左側及び上側及び右側に隣接する復号済み参照画素を用いて、予め規定した予測を行う
。
【００７７】
ステップＳ１１４において、符号化装置１は、符号化対象のＴＵに対して、かかるＴＵ
の右側及び上側に隣接する復号済み参照画素を用いて、予め規定した予測を行う。
【００７８】
ステップＳ１１５において、符号化装置１は、予測画像及び原画像を用いて生成した残
差信号を垂直方向に反転させた上で、その後の処理を行う。
【００７９】
ステップＳ１１６において、符号化装置１は、予測画像及び原画像を用いて生成した残
差信号を水平方向に反転させた上で、その後の処理を行う。
【００８０】
ステップＳ１１７において、符号化装置１は、予測画像及び原画像を用いて生成した残
差信号を垂直方向及び水平方向に反転させた上で、その後の処理を行う。
【００８１】
本実施形態に係る符号化装置１によれば、イントラ予測において下側及び右側の少なく
とも一方の参照画素を用いる場合で且つＴｒａｎｓｆｏｒｍＳｋｉｐモードが適用されて
いる場合（残差信号に対して直交変換処理が適用されない場合）であっても符号化効率の
低下を抑制することができる。
【００８２】
また、本実施形態に係る復号装置３は、動画像を構成するフレーム単位の原画像をＣＵ
に分割して復号するように構成されている。また、本実施形態に係る復号装置３は、本実
施形態に係る符号化装置１と同様に、ＣＵを複数のＴＵに分割することができるように構
成されている。
【００８３】
図４に示すように、本実施形態に係る復号装置３は、エントロピー復号部３１と、復号
順制御部３２と、逐次局部復号画像生成部３３と、メモリ３４とを具備している。
【００８４】
エントロピー復号部３１は、符号化装置１から出力されたストリームに対してエントロ
ピー復号処理を施すことによって、符号化装置１から出力されたストリームから、変換係
数やフラグ情報等を復号するように構成されている。ここで、変換係数は、符号化装置１
によって、フレーム単位の原画像をＣＵに分割して符号化された信号として得られた量子
化された変換係数である。
【００８５】
また、フラグ情報は、予測モードや「ＴｒａｎｓｆｏｒｍＳｋｉｐモード」が選択され
ているか否かについて示す情報等の付随する情報を含む。
【００８６】
復号順制御部３２は、イントラ予測モードに基づいてＣＵ内のＴＵの復号順を決定する
ように構成されている。
【００８７】
具体的には、復号順制御部３２は、エントロピー復号部３１によって出力されたＴＵ分
割が行われた否か（ＣＵが複数のＴＵに分割されているか否か）について示すフラグ及び
イントラ予測モードの方向に応じて、ＣＵ内のＴＵの復号順を決定するように構成されて
いる。
【００８８】
例えば、復号順制御部３２は、符号化順制御部１３と同様に、ＣＵが複数のＴＵに分割
されている場合で、且つ、イントラ予測モードの方向が左下から右上に向かう方向である
場合、ＴＵ＃Ａ３（ＣＵ＃Ａ内の左下のＴＵ）→ＴＵ＃Ａ４（ＣＵ＃Ａ内の右下のＴＵ）
→ＴＵ＃Ａ１（ＣＵ＃Ａ内の左上のＴＵ）→ＴＵ＃Ａ２（ＣＵ＃Ａ内の右上のＴＵ）とい
う復号順、或いは、ＴＵ＃Ａ３（ＣＵ＃Ａ内の左下のＴＵ）→ＴＵ＃Ａ１（ＣＵ＃Ａ内の
左上のＴＵ）→ＴＵ＃Ａ４（ＣＵ＃Ａ内の右下のＴＵ）→ＴＵ＃Ａ２（ＣＵ＃Ａ内の右上
のＴＵ）という復号順のうち、予め規定した復号順で、復号処理を行うように構成されて
いてもよい。
【００８９】
また、復号順制御部３２は、符号化順制御部１３と同様に、ＣＵが複数のＴＵに分割さ
れている場合で、且つ、イントラ予測モードの方向が右上から左下に向かう方向である場
合、ＴＵ＃Ａ２（ＣＵ＃Ａ内の右上のＴＵ）→ＴＵ＃Ａ４（ＣＵ＃Ａ内の右下のＴＵ）→
ＴＵ＃Ａ１（ＣＵ＃Ａ内の左上のＴＵ）→ＴＵ＃Ａ３（ＣＵ＃Ａ内の左下のＴＵ）という
復号順、或いは、ＴＵ＃Ａ２（ＣＵ＃Ａ内の右上のＴＵ）→ＴＵ＃Ａ１（ＣＵ＃Ａ内の左
上のＴＵ）→ＴＵ＃Ａ４（ＣＵ＃Ａ内の右下のＴＵ）→ＴＵ＃Ａ３（ＣＵ＃Ａ内の左下の
ＴＵ）というという復号順のうち、予め規定した復号順で、復号処理を行うように構成さ
れていてもよい。
【００９０】
逐次局部復号画像生成部３３は、復号順制御部３２によって決定された復号順及びＣＵ
のＴＵへの分割方法に基づいて局部復号画像（ＴＵごとの復号画像）を生成するように構
成されている。
【００９１】
具体的には、逐次局部復号画像生成部３３は、ＣＵが複数のＴＵに分割されている場合
に、復号順制御部３２によって決定された復号順に従って、エントロピー復号部３１によ
って出力された量子化された変換係数に対して、逐次、イントラ予測や逆量子化処理や逆
直交変換処理を行うことによって、局部復号画像を生成するように構成されている。
【００９２】
図４に示すように、逐次局部復号画像生成部３３は、イントラ予測部３３ａと、逆量子
化・逆変換部３３ｂと、復号画像生成部３３ｃとを具備している。
【００９３】
イントラ予測部３３ａは、復号順制御部３２によって決定した復号順に従って、エント
ロピー復号部３１によって出力されたイントラ予測モードを用いて、予測画像を生成する
ように構成されていてもよい。
【００９４】
具体的には、イントラ予測部３３ａは、ＣＵが複数のＴＵに分割されている場合で、且
つ、イントラ予測モードの方向が左下から右上に向かう方向である場合、ＴＵ＃Ａ３（Ｃ
Ｕ＃Ａ内の左下のＴＵ）→ＴＵ＃Ａ４（ＣＵ＃Ａ内の右下のＴＵ）→ＴＵ＃Ａ１（ＣＵ＃
Ａ内の左上のＴＵ）→ＴＵ＃Ａ２（ＣＵ＃Ａ内の右上のＴＵ）という復号順、或いは、Ｔ
Ｕ＃Ａ３（ＣＵ＃Ａ内の左下のＴＵ）→ＴＵ＃Ａ１（ＣＵ＃Ａ内の左上のＴＵ）→ＴＵ＃
Ａ４（ＣＵ＃Ａ内の右下のＴＵ）→ＴＵ＃Ａ２（ＣＵ＃Ａ内の右上のＴＵ）という復号順
のうち、予め規定した復号順で、予測画像を生成するように構成されていてもよい。
【００９５】
ここで、イントラ予測部３３ａは、図２（ｃ）及び図２（ｄ）に示すように、隣接する
下側の参照画素が復号されているＴＵ＃Ａ１（ＣＵ＃Ａ内の左上のＴＵ）及びＴＵ＃Ａ２
（ＣＵ＃Ａ内の右上のＴＵ）については、左側及び下側に隣接する復号済み参照画素を用
いて予測画像を生成するように構成されていてもよい。
【００９６】
また、本実施形態に係る復号装置３では、イントラ予測部３３ａは、ＣＵが複数のＴＵ
に分割されている場合で、且つ、イントラ予測モードの方向（予測方向）が右上から左下
に向かう方向である場合、ＴＵ＃Ａ２（ＣＵ＃Ａ内の右上のＴＵ）→ＴＵ＃Ａ４（ＣＵ＃
Ａ内の右下のＴＵ）→ＴＵ＃Ａ１（ＣＵ＃Ａ内の左上のＴＵ）→ＴＵ＃Ａ３（ＣＵ＃Ａ内
の左下のＴＵ）という復号順、或いは、ＴＵ＃Ａ２（ＣＵ＃Ａ内の右上のＴＵ）→ＴＵ＃
Ａ１（ＣＵ＃Ａ内の左上のＴＵ）→ＴＵ＃Ａ４（ＣＵ＃Ａ内の右下のＴＵ）→ＴＵ＃Ａ３
（ＣＵ＃Ａ内の左下のＴＵ）という復号順のうち、予め規定した復号順で、予測画像を生
成するように構成されていてもよい。
【００９７】
ここで、イントラ予測部３３ａは、隣接する右側の参照画素が復号されているＴＵ＃Ａ
１（ＣＵ＃Ａ内の左上のＴＵ）及びＴＵ＃Ａ３（ＣＵ＃Ａ内の左下のＴＵ）については、
上側及び右側に隣接する復号済み参照画素を用いて予測画像を生成するように構成されて
いてもよい。
【００９８】
或いは、イントラ予測部３３ａは、ＴＵ＃Ａ３（ＣＵ＃Ａ内の左下のＴＵ）→ＴＵ＃Ａ
４（ＣＵ＃Ａ内の右下のＴＵ）→ＴＵ＃Ａ１（ＣＵ＃Ａ内の左上のＴＵ）→ＴＵ＃Ａ２（
ＣＵ＃Ａ内の右上のＴＵ）という復号順、或いは、ＴＵ＃Ａ３（ＣＵ＃Ａ内の左下のＴＵ
）→ＴＵ＃Ａ１（ＣＵ＃Ａ内の左上のＴＵ）→ＴＵ＃Ａ４（ＣＵ＃Ａ内の右下のＴＵ）→
ＴＵ＃Ａ２（ＣＵ＃Ａ内の右上のＴＵ）という復号順が用いられる場合には、上側に隣接
する参照画素が復号済みであるＴＵ（分割されたＴＵ群のうち最上段に位置するＴＵ、図
２の例では、ＴＵ＃Ａ１及びＴＵ＃Ａ２）については、ＣＵ＃Ａ内で共通のイントラ予測
方向でなく、かかるＴＵの左側や上側や下側に隣接する復号済み参照画素を用いた線形補
間等の予め規定した予測を行うように構成されていてもよい。
【００９９】
逆量子化・逆変換部３３ｂは、エントロピー復号部３１によって出力された量子化され
た変換係数に対して逆量子化処理及び逆変換処理（例えば、逆直交変換処理）を施すこと
によって、残差信号を生成するように構成されている。
【０１００】
ここで、逆量子化・逆変換部３３ｂは、「ＴｒａｎｓｆｏｒｍＳｋｉｐモード」が適用
されている場合（逆直交変換処理が適用されない場合）には、エントロピー復号処理によ
って得られた信号に対して逆変換処理を行わずに逆量子化処理のみを施すように構成され
ている。
【０１０１】
或いは、「ＴｒａｎｓｆｏｒｍＳｋｉｐモード」が適用されている場合、逆直交変換処
理及び逆量子化処理の双方が行われず、エントロピー復号処理によって得られた信号がそ
のまま出力されるように構成されてもよい。
【０１０２】
また、「ＴｒａｎｓｆｏｒｍＳｋｉｐモード」が適用されている場合に、逆量子化・逆
変換部３３ｂは、イントラ予測部３３ａが予測画像を生成する際に用いる参照画素の位置
に基づいて、エントロピー復号処理及び逆量子化処理によって得られた信号を水平方向及
び垂直方向の少なくとも一方に反転することによって残差信号を生成するように構成され
ていてもよい。
【０１０３】
例えば、「ＴｒａｎｓｆｏｒｍＳｋｉｐモード」が適用されている場合で、且つ、イン
トラ予測部３３ａが左側及び下側に位置する参照画素を用いて予測画像を生成した場合に
、逆量子化・逆変換部３３ｂは、エントロピー復号処理及び逆量子化処理によって得られ
た信号を水平方向に反転することによって残差信号を生成するように構成されていてもよ
い。
【０１０４】
また、「ＴｒａｎｓｆｏｒｍＳｋｉｐモード」が適用されている場合で、且つ、イント
ラ予測部３３ａが右側及び上側に位置する参照画素を用いて予測画像を生成した場合に、
逆量子化・逆変換部３３ｂは、エントロピー復号処理及び逆量子化処理によって得られた
信号を垂直方向に反転することによって残差信号を生成するように構成されていてもよい
。
【０１０５】
また、「ＴｒａｎｓｆｏｒｍＳｋｉｐモード」が適用されている場合で、且つ、イント
ラ予測部３３ａが左側及び上側に位置する参照画素を用いて予測画像を生成した場合に、
従来のＨＥＶＣで「ＴｒａｎｓｆｏｒｍＳｋｉｐモード」を適用する場合と同様に、逆量
子化・逆変換部３３ｂは、エントロピー復号処理及び逆量子化処理によって得られた信号
を垂直方向及び水平方向に反転することによって残差信号を生成するように構成されてい
てもよい。
【０１０６】
また、「ＴｒａｎｓｆｏｒｍＳｋｉｐモード」が適用されている場合で、且つ、イント
ラ予測部３３ａが左側及び上側及び下側に位置する参照画素を用いて予測画像を生成した
場合に、逆量子化・逆変換部３３ｂは、エントロピー復号処理及び逆量子化処理によって
得られた信号を水平方向に反転することによって残差信号を生成するように構成されてい
てもよい。
【０１０７】
さらに、「ＴｒａｎｓｆｏｒｍＳｋｉｐモード」が適用されている場合で、且つ、イント
ラ予測部３３ａが左側及び上側及び右側に位置する参照画素を用いて予測画像を生成した
場合に、逆量子化・逆変換部３３ｂは、エントロピー復号処理及び逆量子化処理によって
得られた信号を垂直方向に反転することによって残差信号を生成するように構成されてい
てもよい。
【０１０８】
一方、「ＴｒａｎｓｆｏｒｍＳｋｉｐモード」が適用されている場合で、且つ、イントラ
予測部３３ａが左側及び上側のいずれに位置する参照画素を用いても予測画像を生成して
いない場合には、逆量子化・逆変換部３３ｂは、エントロピー復号処理及び逆量子化処理
によって得られた信号を反転させないように構成されていてもよい。
【０１０９】
復号画像生成部３３ｃは、イントラ予測部３３ａによって生成された予測画像と逆量子
化・逆変換部３３ｂによって生成された残差信号とを加えることで局部復号画像を生成す
るように構成されている。
【０１１０】
メモリ３４は、逐次局部復号画像生成部３３によって生成された局部復号画像を、イン
トラ予測及びインター予測のための参照画像として利用可能に保持するように構成されて
いる。
【０１１１】
図５に、「ＴｒａｎｓｆｏｒｍＳｋｉｐモード」が適用されている場合の本実施形態に
係る復号装置３によって、上述の復号順を決定する動作の一例について説明するためのフ
ローチャートについて示す。
【０１１２】
図５に示すように、ステップＳ２０１において、復号装置３は、符号化装置１から出力
されたストリームから、イントラ予測モードを取得する。
【０１１３】
ステップＳ２０２において、復号装置３は、符号化装置１から出力されたストリームに
含まれているフラグ情報に基づいて、ＣＵが複数のＴＵに分割されているか否かについて
判定する。ステップＳ２０２において、ＣＵが複数のＴＵに分割されていると判定された
場合には、本動作は、ステップＳ２０３に進む。一方、ステップＳ２０２において、ＣＵ
が複数のＴＵに分割されていないと判定された場合には、本動作は、ステップＳ２０５に
進む。
【０１１４】
ステップＳ２０５において、復号装置３は、復号対象のＴＵに対して、かかるＴＵの左
側及び上側に隣接する復号済み参照画素を用いて、予め規定した予測を行う。
【０１１５】
ステップＳ２０３において、復号装置３は、イントラ予測モードの方向が左下から右上
に向かう方向或いは右上から左下に向かう方向であるか否かについて判定する。ステップ
Ｓ２０３において、イントラ予測モードの方向が左下から右上に向かう方向或いは右上か
ら左下に向かう方向であると判定された場合には、本動作は、ステップＳ２０６に進む。
【０１１６】
一方、ステップＳ２０３において、イントラ予測モードの方向が左下から右上に向かう方
向及び右上から左下に向かう方向以外であると判定された場合には、本動作は、ステップ
Ｓ２０４に進む。
【０１１７】
ステップＳ２０４において、復号装置３は、上述の復号順として、ＨＥＶＣで用いられ
ている従来のラスタースキャン順（図８（ａ）に示すようなＺ型）を採用する。
【０１１８】
イントラ予測モードの方向が左下から右上に向かう方向であると決定された場合（ステ
ップＳ２０６）には、ステップＳ２０７において、復号装置３は、上述の復号順として、
ＴＵ＃Ａ３（ＣＵ＃Ａ内の左下のＴＵ）→ＴＵ＃Ａ４（ＣＵ＃Ａ内の右下のＴＵ）→ＴＵ
＃Ａ１（ＣＵ＃Ａ内の左上のＴＵ）→ＴＵ＃Ａ２（ＣＵ＃Ａ内の右上のＴＵ）という復号
順、或いは、ＴＵ＃Ａ３（ＣＵ＃Ａ内の左下のＴＵ）→ＴＵ＃Ａ１（ＣＵ＃Ａ内の左上の
ＴＵ）→ＴＵ＃Ａ４（ＣＵ＃Ａ内の右下のＴＵ）→ＴＵ＃Ａ２（ＣＵ＃Ａ内の右上のＴＵ
）という復号順のうち、予め規定した復号順を採用する。
【０１１９】
一方、イントラ予測モードの方向が左下から右上に向かう方向でないと決定された場合
（ステップＳ２０６）には、ステップＳ２１１において、復号装置３は、上述の復号順と
して、ＴＵ＃Ａ２（ＣＵ＃Ａ内の右上のＴＵ）→ＴＵ＃Ａ４（ＣＵ＃Ａ内の右下のＴＵ）
→ＴＵ＃Ａ１（ＣＵ＃Ａ内の左上のＴＵ）→ＴＵ＃Ａ３（ＣＵ＃Ａ内の左下のＴＵ）とい
う復号順、或いは、ＴＵ＃Ａ２（ＣＵ＃Ａ内の右上のＴＵ）→ＴＵ＃Ａ１（ＣＵ＃Ａ内の
左上のＴＵ）→ＴＵ＃Ａ４（ＣＵ＃Ａ内の右下のＴＵ）→ＴＵ＃Ａ３（ＣＵ＃Ａ内の左下
のＴＵ）という復号順のうち、予め規定した復号順を採用する。
【０１２０】
ステップＳ２０８において、復号装置３は、復号対象のＴＵの上側に隣接する参照画素
が復号済みであるか否かについて判定する。ステップＳ２０８において、復号済みである
場合、本動作は、ステップＳ２０９に進み、復号済みでない場合、本動作は、ステップＳ
２１０に進む。
【０１２１】
ステップＳ２０９において、復号装置３は、復号対象のＴＵに対して、かかるＴＵの左
側及び上側及び下側に隣接する復号済み参照画素を用いて、予め規定した予測を行う。
【０１２２】
ステップＳ２１０において、復号装置３は、復号対象のＴＵに対して、かかるＴＵの左
側及び下側に隣接する復号済み参照画素を用いて、予め規定した予測を行う。
【０１２３】
ステップＳ２１２において、復号装置３は、復号対象のＴＵの左側に隣接する参照画素
が復号済みであるか否かについて判定する。ステップＳ２１２において、復号済みである
場合、本動作は、ステップＳ２１３に進み、復号済みでない場合、本動作は、ステップＳ
２１４に進む。
【０１２４】
ステップＳ２１３において、復号装置３は、復号対象のＴＵに対して、かかるＴＵの左
側及び上側及び右側に隣接する復号済み参照画素を用いて、予め規定した予測を行う。
【０１２５】
ステップＳ２１４において、復号装置３は、復号対象のＴＵに対して、かかるＴＵの右
側及び上側に隣接する復号済み参照画素を用いて、予め規定した予測を行う。
【０１２６】
ステップＳ２１５において、復号装置３は、エントロピー復号処理及び逆量子化処理に
よって得られた信号を垂直方向に反転させ、その後の処理を行う。
【０１２７】
ステップＳ２１６において、復号装置３は、エントロピー復号処理及び逆量子化処理に
よって得られた信号を水平方向に反転させ、その後の処理を行う。
【０１２８】
ステップＳ２１７において、復号装置３は、エントロピー復号処理及び逆量子化処理に
よって得られた信号を垂直方向及び水平方向に反転させた上で、その後の処理を行う。
【０１２９】
本実施形態に係る復号装置３によれば、イントラ予測において下側及び右側の少なくと
も一方の参照画素を用いる場合で且つＴｒａｎｓｆｏｒｍＳｋｉｐモードが適用されてい
る場合（エントロピー復号処理及び逆量子化処理によって得られた信号に対して逆直交変
換処理が適用されない場合）であっても符号化効率の低下を抑制することができる。
【０１３０】
（その他の実施形態）
上述のように、本発明について、上述した実施形態によって説明したが、かかる実施形
態における開示の一部をなす論述及び図面は、本発明を限定するものであると理解すべき
ではない。かかる開示から当業者には様々な代替実施形態、実施例及び運用技術が明らか
となろう。
【０１３１】
また、上述の実施形態では特に触れていないが、上述の符号化装置１及び復号装置３に
よって行われる各処理をコンピュータに実行させるプログラムが提供されてもよい。また
、かかるプログラムは、コンピュータ読取り可能媒体に記録されていてもよい。コンピュ
ータ読取り可能媒体を用いれば、かかるプログラムをコンピュータにインストールするこ
とが可能である。ここで、かかるプログラムが記録されたコンピュータ読取り可能媒体は
、非一過性の記録媒体であってもよい。非一過性の記録媒体は、特に限定されるものでは
ないが、例えば、ＣＤ-ＲＯＭやＤＶＤ-ＲＯＭ等の記録媒体であってもよい。
【０１３２】
或いは、上述の符号化装置１及び復号装置３内の少なくとも一部の機能を実現するため
のプログラムを記憶するメモリ及びメモリに記憶されたプログラムを実行するプロセッサ
によって構成されるチップが提供されてもよい。
【符号の説明】
【０１３３】
１…符号化装置
１１…イントラ予測モード決定部
１２…ＴＵ分割決定部
１３…符号化順制御部
１４…逐次局部復号画像生成部
１４ａ…イントラ予測部
１４ｂ…残差信号生成部
１４ｃ…直交変換・量子化部
１４ｄ…逆量子化部・逆直交変換部
１４ｅ…局部復号画像生成部
１５…メモリ
１６…エントロピー符号化部
３…復号装置
３１…エントロピー復号部
３２…復号順制御部
３３…逐次局部復号画像生成部
３３ａ…イントラ予測部
３３ｂ…逆量子化・逆変換部
３３ｃ…復号画像生成部
３４…メモリ
【図１】
2018121317.tif 000003
【図２】
2018121317.tif 000004
【図３】
2018121317.tif 000005
【図４】
2018121317.tif 000006
【図５】
2018121317.tif 000007
【図６】
2018121317.tif 000008
【図７】
2018121317.tif 000009